(57)【要約】      （修正有）【課題】正面側の幅方向の寸法が奥行方向の寸法に比べて短い平面視長方形状の容器とこの容器に嵌合する蓋とからなり、長いガイドを使用することなく奥行方向に配置した廃棄物収容用の袋に廃棄物を投入でき、また蓋を前側から開けにくくした廃棄物回収装置を提供する。【解決手段】上端の開口部から内部に廃棄物を仕分けて収容する容器１と、容器の上部に着脱自在に取り付ける蓋２と、蓋の正面側に形成した廃棄物投入用の複数の孔４、５とを備え、複数の孔を容器の奥行方向に沿って直列に形成する。また蓋は、下部に容器上部の支持枠６に嵌合する嵌合枠９を有すると共に、嵌合枠の正面側に、支持枠の正面側部位に着脱自在に係合する三つ以上の前側引っ掛け片Ｃを有している。【選択図】図１
0003197123.tif 000002
【実用新案登録請求の範囲】
【請求項１】
上端の開口部３から内部に廃棄物を仕分けて収容する容器１と、上記容器１の上部に着脱自在に取り付ける蓋２と、上記蓋２の正面側に形成した廃棄物投入用の複数の孔４、５とを備えている廃棄物回収装置において、上記複数の孔４、５を上記容器１の奥行方向に沿って直列に形成したことを特徴とする廃棄物回収装置。
【請求項２】
上記容器１が底部1aと、底部１aから起立する左右側の枠１ｂ、１ｂと、底部１aから起立し上記左右側の枠より短い前後側の枠１ｃ、１ｄと、左右側の枠１ｂ、１ｂと前後側の枠１ｃ、１ｄの上端に形成した長方形状の支持枠６とからなり、上記蓋２が左右側の枠8a、８ｂと、後方に向けて傾斜する前側枠８ｃと、前方に向けて傾斜する後側枠８ｄとからなる蓋本体８と、上記蓋本体８の下部に形成されて上記支持枠６上に嵌合する断面L字状で長方形状の嵌合枠９とからなり、上記複数の孔４、５が上記前側枠８ｃに縦方向に沿って直列に形成されている請求項１に記載の廃棄物回収装置。
【請求項３】
上記蓋２が上記嵌合枠９の正面側に形成されて上記支持枠６の正面側部位に着脱自在に係合する三つ以上の前側引っ掛け片A、B、Cと、上記嵌合枠９の背面側中央に形成されて上記支持枠６の背面側中央の部位に着脱自在に係合する後部引っ掛け片Dと有し、上記後部引っ掛け片Dを外しながら蓋本体８の後部を引き上げたとき上記前側引っ掛け片A、B、Cを支点にして当該蓋本体８が開かれることを特徴とする請求項１又は２記載の廃棄物回収装置。
【請求項４】
上記容器１が上記支持枠６の左右側部に縦方向に沿って形成したスリット１０、１０と、上記スリット１０、１０の両側に下端から上方に向けて形成した一対のフック状スリット１１、１１とを備え、容器1内に収容した廃棄物収容用の袋の上部を上記スリット１０とフック状スリット１１とに食い込ませて保持させることを特徴とする請求項１、２又は３に記載の廃棄物回収装置。
【請求項５】
上記蓋２における嵌合枠９の内周に一つ又は複数のリブ１２を突設し、上記嵌合枠９を上記容器１の支持枠７の外周に嵌合させた時当該リブ１２を上記支持枠７の外周面に当接して蓋２のずれを防止することを特徴とする請求項１、２、３又は４に記載の廃棄物回収装置。
【請求項６】
上記蓋２における嵌合枠９と上記容器１における支持枠６とにそれぞれ相対向する連結用の孔１３、１４をそれぞれ形成し、各孔１３、１４に鍵、ボルト又はピンからなる止め具を挿入して上記蓋２を上記容器１に連結することを特徴とする請求項１、２、３、４又は５に記載の廃棄物回収装置。
【考案の詳細な説明】
【技術分野】
【０００１】
この考案は、廃棄物回収装置に関し、特に、自動販売機の傍に隣接して配置しておき、ペットボトル、ビン、缶等の空の飲料用容器をリサイクルする為に回収して収容する廃棄物回収装置に関するものである。
【背景技術】
【０００２】
一般的に、街中、施設内、鉄道のプラットホーム等には飲料水を販売する自動販売機が設置され、この自動販売機の側面側に容器とこの容器に着脱自在に嵌合した蓋とからなる所謂リサイクルボックスたる廃棄物回収装置が隣接して配置されているのが普通である。
【０００３】
そして、顧客が自動販売機の傍で飲料水を飲み干して空になったペットボトル、ビン、缶等を蓋に形成した孔を介して容器内に収容した仕分け用の袋に投入して回収するようになっている。
【０００４】
例えば、この種リサイクルボックスとしては、特許文献１に示すように、仕分け用の袋を複数収容した容器と、この容器に着脱自在に嵌合した蓋とからなり、蓋の正面には横方向たる幅方向に沿って、仕分け用の袋の数に対応して複数の仕分け用の孔を形成したものが開発され、使用されている。
【先行技術文献】
【特許文献】
【０００５】
【特許文献１】意匠登録第１３６５５１０号公報（正面図参照）
【考案の概要】
【考案が解決しようとする課題】
【０００６】
上記従来のリサイクルボックスは機能上欠陥があるわけではないが、次のような改善が望まれている。
すなわち、上記従来のリサイクルボックスは、蓋の正面に横方向に沿って複数の仕分け用の孔を形成しているので孔の数に対応して蓋の横方向たる幅方向の寸法が必要となる。
このため、普通リサイクルボックスは飲料水の自動販売機の横に配置しているので、自動販売機の横幅とリサイクルボックスの横幅の合計の設置面積が必要となる。
しかしながら、上記のように蓋に仕分け用の孔を横方向に沿って形成すると孔の数に応じて蓋の横幅が長くなり、その分リサイクルボックスの設置面積が大きくなり、狭い土地、施設ではこの設置面積を確保できない場合がある。
そこで、容器と蓋の正面側の幅方向の寸法を奥行方向の寸法に比べて短くして長方体状に形成し、この容器内に奥行方向に沿って仕分け用の袋を複数収容するようにして横幅の狭い場所に対応させることが可能であるが、この場合には、各孔に奥行方向の袋に対応する長いガイドを接続し、孔から投入したペットボトル等を奥側の袋まで滑り込ませる必要があり、その結果リサイクルボックスの構造が複雑となり、加工性、経済性において不利となる場合がある。
さらにまた、従来のリサイクルボックスは蓋を容器に嵌合しているだけである場合や、蓋の前側に簡単な係合手段を設けている場合が多く、これらの場合には、他人が前側から蓋を簡単に開けることが可能となり、自動販売機で購入したペットボトル等以外の新聞、雑誌、家庭用ごみ等を投入される不具合がある。
そこで、本考案の目的は、正面側の幅方向の寸法が奥行方向の寸法に比べて短い平面視長方形状の容器とこの容器に嵌合する蓋とからなる廃棄物回収装置であっても、長いガイドを使用することなく奥行方向に配置した廃棄物収容用の袋に廃棄物を投入でき、また蓋を前側から開けにくくすることが可能な廃棄物回収装置を提供することである。
【課題を解決するための手段】
【０００７】
上記課題を解決するため、本考案の手段は、上端の開口部から内部に廃棄物を仕分けて収容する容器と、上記容器の上部に着脱自在に取り付ける蓋と、上記蓋の正面側に形成した廃棄物投入用の複数の孔とを備えている廃棄物回収装置において、上記複数の孔を上記容器の奥行方向に沿って直列に形成したことを特徴とする。
この場合、上記容器が底部と、底部から起立する左右側の枠と、底部から起立し上記左右側の枠より短い前後側の枠と、左右側の枠と前後側の枠の上端に形成した長方形状の支持枠とからなり、上記蓋が左右側の枠と、後方に向けて傾斜する前側枠と、前方に向けて傾斜する後側枠とからなる蓋本体と、上記蓋本体の下部に形成されて上記支持枠上に嵌合する断面L字状で長方形状の嵌合枠とからなり、上記複数の孔が上記前側枠に縦方向に沿って直列に形成されているのが好ましい。
同じく、上記蓋が上記嵌合枠の正面側に形成されて上記支持枠の正面側部位に着脱自在に係合する三つ以上の前側引っ掛け片と、上記嵌合枠の背面側中央に形成されて上記支持枠の背面側中央の部位に着脱自在に係合する後部引っ掛け片と有し、上記後部引っ掛け片を外しながら蓋本体の後部を引き上げたとき上記前側引っ掛け片を支点にして当該蓋本体が開かれるのが好ましい。
【考案の効果】
【０００８】
本考案によれば、複数の孔を容器の奥行方向に沿って蓋の正面側に形成しているので、孔を幅方向に沿って形成したものに比べて容器や蓋の横方向たる幅方向の寸法を短くでき、その結果廃棄物回収装置の設置面積を小さくできる。
さらに、孔が容器の奥行方向に沿って形成されているので、各孔が奥行方向に沿って収容されている容器内の仕分け用袋に対応しているので、わざわざ各孔から各仕分け用袋までのガイドが必要とならず、構造が簡単となり、加工性、形財政に優れている。
さらに、蓋の前側には3つ以上の引っ掛け片が係止されているので、他人が前側から蓋を開けようとしても開けにくく、新聞、雑誌、家庭用のゴミ、その他の廃棄物が投入される不具合を減少できる。
【図面の簡単な説明】
【０００９】
【図１】本考案の一実施の形態に係る廃棄物回収装置の一部切り欠き側面図である。
【図２】同正面図である。
【図３】同背面図である。
【図４】同蓋の平面図である。
【図５】同容器の平面図である。
【図６】同容器の連結孔と蓋の連結孔に鍵を差し込んで両者を結合した状態の一部拡大縦断面図である。
【考案を実施するための形態】
【００１０】
以下に本考案の一実施の形態に係る廃棄物回収装置について、図面を参照しながら説明する。
【００１１】
この考案に係る廃棄物回収装置は、例えば飲料水の自動販売機の傍に隣接して配置しておき、ペットボトル、ビン、缶等の空の飲料用容器をリサイクルする為に仕分けて回収して収容する所謂リサイクルボックスに適するが、その他の新聞、雑誌等の紙類のごみ、あるいは家庭用のごみ等の回収にもごみ箱にも適用できる。
【００１２】
図面に示す一実施の形態に係る廃棄物回収装置は、図１、図２、図３に示すように、上端の開口部３から内部に廃棄物を仕分けて収容する容器１と、上記容器１の上部に着脱自在に取り付ける蓋２と、上記蓋２の正面側に形成した廃棄物投入用の二つの孔４、５とを備え、特に上記二つの孔４、５を上記容器１の奥行方向に沿って直列に形成したことを特徴とする。
【００１３】
孔４、５は二つ以上複数設けてもよく、孔４、５の径は同じでも良く、異なっていても良い。
【００１４】
孔４、５の内径を異ならした場合は、孔の大きさに合わせて投棄されるボトル、ビン、缶等のリサイクル用廃棄部を仕分けることができる。
【００１５】
容器１は底部1aと、底部１aから起立する左右側の枠１ｂ、１ｂと、同じく、底部１aから起立する前後側の枠１ｃ、１ｄと、左右側の枠１ｂ、１ｂと前後側の枠１ｃ、１ｄの上端に形成した長方形状の支持枠６とからなっている。
【００１６】
この場合、図１に示すように、前側の枠１ｃは後方に向けてなだらかに湾曲させながら上方からから下方に向けて絞られている。
【００１７】
このため、容器１の前側から体の不自由な人、車椅子に乗った人等が廃棄物を孔４、５に投入しようとする時に足が前側の枠１ｃに干渉することなく近づくことができるよう工夫されており、また、後述する回収用の袋W1,W2の抜き取りを容易にし、作業効率を向上させるようになっている。
【００１８】
蓋２は左右側の枠８a、８ｂと、後方に向けて傾斜する前側枠８ｃと、前方に向けて傾斜する後側枠８ｄとからなる帽子状の蓋本体８と、蓋本体８の下部に形成されて上記支持枠６上に嵌合する断面L字状で長方形状の嵌合枠９とから成っている。
【００１９】
二つの孔４、５は上記前側枠８ｃに縦方向に沿って直列に形成されている。
【００２０】
上記のように容器１は平面から見て図５に示すように長方形形状に成形されていて、例えば飲料水の自動販売機の側部であって、横方向たる幅方向の面積が小さく奥行方向の面積が長い設置場所に配置されるのに適している。
【００２１】
幅方向の設置場所の面積が狭いと蓋２の横幅を広く取れなくなり、その結果廃棄物投入用の孔を複数横方向に形成できない場合があるが、本考案の廃棄物回収装置では上記のように、孔４、５を容器１の長手方向たる奥行方向に沿って形成しているので容易に孔を複数形成できる。
【００２２】
更に、孔４、５が図１、図２に示すように下から上方に向けて直列に形成されていることにより、下の孔４から投入されたペットボトル等は矢印Xに示すように、容器１の前側に収容している廃棄物収容用の袋W1に落下し、上方の孔５から投入されペットボトル等は矢印Yに沿って後方に収容されている回収袋W２内に落下する。
【００２３】
このため、廃棄物を袋W1、W2に届かせるガイドは無くてもよく、仮に図示のようにガイド４a、５aを設けたとしてもこれらのガイド４a、５aの長さは短くでき、蓋の構造が簡単で、加工性、経済性に優れている。
【００２４】
しかも、孔４、５を形成している前側枠８ｃは後方に向けて彎曲しているので、上方の孔５の出口が後方の袋W2に近づきガイド５aはより短くできる。
【００２５】
更に、前側枠８ｃが彎曲しているので、蓋２の上に人が荷物を置くのを防止でき、蓋２の傷付きや破損を防止できる。
【００２６】
更に、図２に示すように、孔４、５を蓋２の前側枠８ｃの左側に奥行方向に沿って形成している結果、この前側枠８ｃの右側のエリアPが広く取れ、このエリアPに分別表示、会社名、広告文、使用方法等を記入できる。
【００２７】
上記蓋２は嵌合枠９の正面側に形成されて上記容器１の支持枠６の正面側部位に着脱自在に係合する三つの前側引っ掛け片A、B、Cと、上記嵌合枠９の背面側中央に形成されて上記支持枠６の背面側中央の部位に着脱自在に係合する後部引っ掛け片Dと有している。
【００２８】
前側引っ掛け片A、B、Cと後部引っ掛け片Dは、図１に示すように、下側の補強片C１、D1でそれぞれ支持された板片C２、D２からなっている。
【００２９】
各引っ掛け片A、B、C、及びDは蓋２を容器１に嵌合した時、各板片C２、D２が図1に示すように、容器１における支持枠９の外縁下端に係合し、静止状態では蓋２が容器１から脱落するのが防止されている。
【００３０】
他方、蓋１の上記後側枠８ｄの下端中央を手動で強制的に外方に湾曲させて後部引っ掛け片Dを外しながら上記後側枠８ｄを引き上げたとき上記前側引っ掛け片A、B、Cを支点にして当該蓋本体８が開かれる。
【００３１】
前側引っ掛け片A、C、Dは一つでも使用可能であるが、一つだけだと、第三者がこの一つの引っ掛け片を外し、前側から前側枠８Cを引き上げて簡単に蓋１を開け、回収目的に適しない新聞、雑誌、家庭用のごみ等を投げ込まれる恐れがあるが、引っ掛け片A、B、Cが三つあれば、いずれかの方向からどれか一つを外したとしても他の二つが引っ掛けられているので、ワンタッチでは簡単に蓋１を開けられず、上記のような理不尽なごみ投棄を減少できる。
【００３２】
容器１は上記支持枠９の左右側部に縦方向に沿って形成したスリット１０、１０と、上記スリット１０、１０の両側に下端から上方に向けて形成した一対のフック状スリット１１、１１とを備えている。
【００３３】
そして、容器1内に収容した廃棄物収容用の袋W1,W２の上部を上記スリット１０、１０とフック状スリット１１、１１とに食い込ませて保持させている。
【００３４】
更に、蓋２における嵌合枠９の内周に一つ又は複数のリブ１２を突設し、蓋２における嵌合枠９を容器１の支持枠７の外周に嵌合させた時当該リブ１２を上記支持枠７の外周面に当接して蓋２のずれを防止することができるようになっている。
【００３５】
さらに、このリブ１２は、蓋２を容器１に嵌合した時、容器１の支持枠９からはみ出している袋４、５の端部を支持枠６の外周と協働して挟持し、袋４、５の脱落を防止している。
【００３６】
また、上記蓋２における嵌合枠９と上記容器１における支持枠６とにそれぞれ相対向する連結用の孔１３、１４をコーナーにそれぞれ４箇所に形成している。
【００３７】
これにより、図６に示すように、各孔１３、１４に鍵、ボルトとナット、ピン、インシュロック等からなる止め具１５を挿入して蓋２を容器１に連結することができるようになっている。
【００３８】
また、この孔１３、１４には紐を差し込んで自動販売機に接続し、廃棄物回収装置を持ち去られるのを防止できるようになっている。
【００３９】
さらに、容器１の内周下部には点線で示すスタックリブ１６を４箇所起立させている。
【００４０】
このスタックリブ１６は容器1内に他の容器１挿入して重ねながら梱包する時、差し込んだ上方の容器１を支持し、差し込んだ上方の容器１が深く差し込まれて抜けなくなるのを防止している。
【符号の説明】
【００４１】
１  容器
２  蓋
３  開口部
４  孔
５  孔
６  支持枠
８  蓋本体
９  嵌合枠
１０  スリット
１１  フック状スリット
１２  リブ
１３  孔
１４  孔
１５  止め具
【図１】
0003197123.tif 000003
【図２】
0003197123.tif 000004
【図３】
0003197123.tif 000005
【図４】
0003197123.tif 000006
【図５】
0003197123.tif 000007
【図６】
0003197123.tif 000008
【手続補正書】
【提出日】平成27年2月12日(2015.2.12)
【手続補正１】
【補正対象書類名】実用新案登録請求の範囲
【補正対象項目名】全文
【補正方法】変更
【補正の内容】
【実用新案登録請求の範囲】
【請求項１】
上端の開口部から内部に廃棄物を仕分けて収容する容器（１）と、上記容器（１）の上部に着脱自在に取り付ける蓋（２）と、上記蓋（２）の正面側に形成した廃棄物投入用の複数の孔（４、５）とを備えている廃棄物回収装置において、上記複数の孔（４、５）を上記容器（１）の奥行方向に沿って直列に形成したことを特徴とする廃棄物回収装置。
【請求項２】
上記容器（１）が底部（１ａ）と、底部（１ａ）から起立する左右側の枠（１ｂ）、（１ｂ）と、底部（１ａ）から起立し上記左右側の枠（１ｂ、１ｂ）より短い前後側の枠（１ｃ、１ｄ）と、左右側の枠（１ｂ、１ｂ）と前後側の枠（１ｃ、１ｄ）の上端に形成した長方形状の支持枠（６）とからなり、上記蓋（２）が左右側の枠（８ａ、８ｂ）と、後方に向けて傾斜する前側枠（８ｃ）と、前方に向けて傾斜する後側枠（８ｄ）とからなる蓋本体（８）と、上記蓋本体（８）の下部に形成されて上記支持枠（６）上に嵌合する断面L字状で長方形状の嵌合枠（９）とからなり、上記複数の孔（４、５）が上記前側枠（８ｃ）に縦方向に沿って直列に形成されている請求項１に記載の廃棄物回収装置。
【請求項３】
上記蓋（２）が上記嵌合枠（９）の正面側に形成されて上記支持枠（６）の正面側部位に着脱自在に係合する三つ以上の前側引っ掛け片（Ａ、Ｂ、Ｃ）と、上記嵌合枠（９）の背面側中央に形成されて上記支持枠（６）の背面側中央の部位に着脱自在に係合する後部引っ掛け片（Ｄ）と有し、上記後部引っ掛け片（Ｄ）を外しながら蓋本体（８）の後部を引き上げたとき上記前側引っ掛け片（Ａ、Ｂ、Ｃ）を支点にして当該蓋本体（８）が開かれることを特徴とする請求項１又は２に記載の廃棄物回収装置。
【請求項４】
上記容器（１）が上記支持枠（６）の左右側部に縦方向に沿って形成したスリット（１０、１０）と、上記スリット（１０、１０）の両側に下端から上方に向けて形成した一対のフック状スリット（１１、１１）とを備え、容器（１）内に収容した廃棄物収容用の袋の上部を上記スリット（１０）とフック状スリット（１１）とに食い込ませて保持させることを特徴とする請求項１、２又は３に記載の廃棄物回収装置。
【請求項５】
上記蓋（２）における嵌合枠（９）の内周に一つ又は複数のリブ（１２）を突設し、上記嵌合枠（９）を上記容器（１）の支持枠（６）の外周に嵌合させた時当該リブ（１２）を上記支持枠（６）の外周面に当接して蓋（２）のずれを防止することを特徴とする請求項１、２、３又は４に記載の廃棄物回収装置。
【請求項６】
上記蓋（２）における嵌合枠（９）と上記容器（１）における支持枠（６）とにそれぞれ相対向する連結用の孔（１３、１４）をそれぞれ形成し、各孔（１３、１４）に鍵、ボルト又はピンからなる止め具を挿入して上記蓋（２）を上記容器（１）に連結することを特徴とする請求項１、２、３、４又は５に記載の廃棄物回収装置。
【手続補正２】
【補正対象書類名】明細書
【補正対象項目名】０００８
【補正方法】変更
【補正の内容】
【０００８】
本考案によれば、複数の孔を容器の奥行方向に沿って蓋の正面側に形成しているので、孔を幅方向に沿って形成したものに比べて容器や蓋の横方向たる幅方向の寸法を短くでき、その結果廃棄物回収装置の設置面積を小さくできる。
さらに、孔が容器の奥行方向に沿って形成されているので、各孔が奥行方向に沿って収容されている容器内の仕分け用袋に対応しているので、わざわざ各孔から各仕分け用袋までのガイドが必要とならず、構造が簡単となり、加工性、経済性に優れている。
さらに、蓋の前側には３つ以上の引っ掛け片が係止されているので、他人が前側から蓋を開けようとしても開けにくく、新聞、雑誌、家庭用のゴミ、その他の廃棄物が投入される不具合を減少できる。
【手続補正３】
【補正対象書類名】明細書
【補正対象項目名】００１２
【補正方法】変更
【補正の内容】
【００１２】
図面に示す一実施の形態に係る廃棄物回収装置は、図１、図２、図３に示すように、上端の開口部から内部に廃棄物を仕分けて収容する容器１と、上記容器１の上部に着脱自在に取り付ける蓋２と、上記蓋２の正面側に形成した廃棄物投入用の二つの孔４、５とを備え、特に上記二つの孔４、５を上記容器１の奥行方向に沿って直列に形成したことを特徴とする。
【手続補正４】
【補正対象書類名】明細書
【補正対象項目名】００３１
【補正方法】変更
【補正の内容】
【００３１】
前側引っ掛け片Ａ、Ｂ、Ｃは一つでも使用可能であるが、一つだけだと、第三者がこの一つの引っ掛け片を外し、前側から前側枠８Ｃを引き上げて簡単に蓋１を開け、回収目的に適しない新聞、雑誌、家庭用のごみ等を投げ込まれる恐れがあるが、引っ掛け片Ａ、Ｂ、Ｃが三つあれば、いずれかの方向からどれか一つを外したとしても他の二つが引っ掛けられているので、ワンタッチでは簡単に蓋１を開けられず、上記のような理不尽なごみ投棄を減少できる。
【手続補正５】
【補正対象書類名】明細書
【補正対象項目名】００３４
【補正方法】変更
【補正の内容】
【００３４】
更に、蓋２における嵌合枠９の内周に一つ又は複数のリブ１２を突設し、蓋２における嵌合枠９を容器１の支持枠６の外周に嵌合させた時当該リブ１２を上記支持枠６の外周面に当接して蓋２のずれを防止することができるようになっている。
【手続補正６】
【補正対象書類名】明細書
【補正対象項目名】００４１
【補正方法】変更
【補正の内容】
【００４１】
１  容器
２  蓋
４  孔
５  孔
６  支持枠
８  蓋本体
９  嵌合枠
１０  スリット
１１  フック状スリット
１２  リブ
１３  孔
１４  孔
１５  止め具